(57)【要約】【課題】色再現精度と耐用期間のそれぞれの要求の程度に合わせた色調整を行うことができる色処理装置等を提供する。【解決手段】被色調整装置に要求される色再現精度および耐用期間に関する情報を含む要求情報を取得する要求情報取得部２１５と、要求情報を基に被色調整装置の色再現目標を生成する色再現目標生成部２１６と、色再現目標に対応した色調整を行うために被色調整装置で使用される色変換テーブルを作成する色変換テーブル作成部２１８と、を備えることを特徴とする色処理装置。【選択図】図４
2015076692.tif 000002
【特許請求の範囲】
【請求項１】
被色調整装置に要求される色再現精度および耐用期間に関する情報を含む要求情報を取得する要求情報取得部と、
前記要求情報取得部により取得された前記要求情報を基に、前記被色調整装置の色再現目標を生成する色再現目標生成部と、
前記色再現目標生成部により生成された前記色再現目標に対応した色調整を行うために前記被色調整装置で使用される変換関係を作成する変換関係作成部と、
を備えることを特徴とする色処理装置。
【請求項２】
前記色再現目標生成部は、前記色再現目標として前記被色調整装置で出力される画像の色域の縮小を行うものを生成し、当該色域は、当該被色調整装置で使用される色材を３種類以上使用して再現される領域については縮小が行われるが、当該被色調整装置で使用される色材を２種類以下使用して再現される領域については縮小が行われないことを特徴とする請求項１に記載の色処理装置。
【請求項３】
前記色再現目標生成部は、色域の縮小を行うために前記要求情報から色域を縮小する割合である縮小率を算出する縮小率算出部を備えることを特徴とする請求項２に記載の色処理装置。
【請求項４】
前記色再現目標生成部は、複数の前記被色調整装置の色域の平均を起点として前記色再現目標を生成することを特徴とする請求項２または３に記載の色処理装置。
【請求項５】
被色調整装置にて画像を出力するために作成された色信号を、予め定められた変換関係を用いて色変換処理を行い当該被色調整装置に出力する色変換手段と、
前記色変換手段で用いられる前記変換関係を、前記被色調整装置にて出力される画像の色調整を行うために作成する変換関係作成手段と、
を備え、
前記変換関係作成手段は、
前記被色調整装置に要求される色再現精度および耐用期間に関する情報を含む要求情報を取得する要求情報取得部と、
前記要求情報取得部により取得された前記要求情報を基に、前記被色調整装置の色再現目標を生成する色再現目標生成部と、
前記色再現目標生成部により生成された前記色再現目標に対応した色調整を行うために前記被色調整装置で使用される変換関係を作成する変換関係作成部と、
を備えることを特徴とする色調整システム。
【請求項６】
コンピュータに、
被色調整装置に要求される色再現精度および耐用期間に関する情報を含む要求情報を取得する機能と、
取得された前記要求情報を基に、前記被色調整装置の色再現目標を生成する機能と、
生成された前記色再現目標に対応した色調整を行うために前記被色調整装置で使用される変換関係を作成する機能と、
を実現させるプログラム。
【発明の詳細な説明】
【技術分野】
【０００１】
本発明は、色処理装置、色調整システム、プログラムに関する。
【背景技術】
【０００２】
特許文献１には、入力の色空間と出力の色空間との過去の履歴情報、出力媒体内の位置情報、出力媒体の画像出力モードの組み合わせ情報を保持しておくカラー出力デバイスの色変換手段を備え、かつ時間やプリンタの物理的特性の変動を吸収する画像の出力を行なうプリンタプロファイルの生成機能を有する画像処理装置が開示されている。
【０００３】
また特許文献２には、キャリブレーション対象の色の信号値に対応するカラーパッチをプリンタに形成させ、形成されるカラーパッチの測色値と、キャリブレーション対象の色の信号値に対応する目標値とに基づき信号値を校正し、形成されたカラーパッチの測色値に基づき、キャリブレーション用の多次元テーブルデータを作成するデータ処理装置が開示されている。
【先行技術文献】
【特許文献】
【０００４】
【特許文献１】特開２００３−２９８８５６号公報
【特許文献２】特開２００４−２３７４０号公報
【発明の概要】
【発明が解決しようとする課題】
【０００５】
被色調整装置にて出力する画像の色調整を行う場合、色再現精度と耐用期間のそれぞれの要求の程度に合わせた色調整を行うことが望ましい。
【課題を解決するための手段】
【０００６】
請求項１に記載の発明は、被色調整装置に要求される色再現精度および耐用期間に関する情報を含む要求情報を取得する要求情報取得部と、前記要求情報取得部により取得された前記要求情報を基に、前記被色調整装置の色再現目標を生成する色再現目標生成部と、前記色再現目標生成部により生成された前記色再現目標に対応した色調整を行うために前記被色調整装置で使用される変換関係を作成する変換関係作成部と、を備えることを特徴とする色処理装置である。
請求項２に記載の発明は、前記色再現目標生成部は、前記色再現目標として前記被色調整装置で出力される画像の色域の縮小を行うものを生成し、当該色域は、当該被色調整装置で使用される色材を３種類以上使用して再現される領域については縮小が行われるが、当該被色調整装置で使用される色材を２種類以下使用して再現される領域については縮小が行われないことを特徴とする請求項１に記載の色処理装置である。
請求項３に記載の発明は、前記色再現目標生成部は、色域の縮小を行うために前記要求情報から色域を縮小する割合である縮小率を算出する縮小率算出部を備えることを特徴とする請求項２に記載の色処理装置である。
請求項４に記載の発明は、前記色再現目標生成部は、複数の前記被色調整装置の色域の平均を起点として前記色再現目標を生成することを特徴とする請求項２または３に記載の色処理装置である。
請求項５に記載の発明は、被色調整装置にて画像を出力するために作成された色信号を、予め定められた変換関係を用いて色変換処理を行い当該被色調整装置に出力する色変換手段と、前記色変換手段で用いられる前記変換関係を、前記被色調整装置にて出力される画像の色調整を行うために作成する変換関係作成手段と、を備え、前記変換関係作成手段は、前記被色調整装置に要求される色再現精度および耐用期間に関する情報を含む要求情報を取得する要求情報取得部と、前記要求情報取得部により取得された前記要求情報を基に、前記被色調整装置の色再現目標を生成する色再現目標生成部と、前記色再現目標生成部により生成された前記色再現目標に対応した色調整を行うために前記被色調整装置で使用される変換関係を作成する変換関係作成部と、を備えることを特徴とする色調整システムである。
請求項６に記載の発明は、コンピュータに、被色調整装置に要求される色再現精度および耐用期間に関する情報を含む要求情報を取得する機能と、取得された前記要求情報を基に、前記被色調整装置の色再現目標を生成する機能と、生成された前記色再現目標に対応した色調整を行うために前記被色調整装置で使用される変換関係を作成する機能と、を実現させるプログラムである。
【発明の効果】
【０００７】
請求項１の発明によれば、本構成を有していない場合に比較して、色再現精度と耐用期間のそれぞれの要求の程度に合わせた変換関係を作成できる色処理装置を提供することができる。
請求項２の発明によれば、本構成を有していない場合に比較して、経時劣化等に応じて生じる色域の縮小に合わせて色目標を生成することができる。
請求項３の発明によれば、色再現精度と耐用期間のどちらで要求情報が設定されても、統一的な処理が可能となる。
請求項４の発明によれば、本構成を有していない場合に比較して、色調整の精度をより向上させた変換関係を作成できる。
請求項５の発明によれば、より高い精度で被色調整装置の色調整を行える色調整システムを提供することができる。
請求項６の発明によれば、本構成を有していない場合に比較して、色再現精度と耐用期間のそれぞれの要求の程度に合わせた変換関係を作成できる機能をコンピュータにより実現できる。
【図面の簡単な説明】
【０００８】
【図１】本実施の形態の画像形成装置の構成例を示す図である。
【図２】図１に示す画像形成装置に色設定システムを取り付けた状態を説明するための図である。
【図３】（ａ）〜（ｂ）は、測色用画像について説明した図である。
【図４】本実施の形態の色変換テーブル生成装置についての機能構成例を説明した図である。
【図５】（ａ）〜（ｂ）は、本実施の形態において色域の縮小を行う方法を説明した概念図である。
【図６】本実施の形態において色域の縮小を行う方法を説明した概念図である。
【図７】色再現目標生成部についての機能構成例を説明した図である。
【図８】色変換テーブル生成装置の動作について説明したフローチャートである。
【図９】画像形成装置の制御部における信号処理系を示すブロック図である。
【図１０】色変換テーブル生成装置のハードウェア構成を示した図である。
【発明を実施するための形態】
【０００９】
＜画像形成装置の全体構成の説明＞
以下、添付図面を参照して、本発明の実施の形態について詳細に説明する。
【００１０】
図１は、本実施の形態の画像形成装置１０の構成例を示す図である。
この画像形成装置１０は、画像形成装置１０の各機構部を制御する制御部１１と、用紙（記録材、記録媒体）Ｐに画像を形成する印刷機構としての画像形成部１２とを備える。
【００１１】
画像形成装置１０の制御部１１は、ネットワークＮに接続され、ネットワークＮを介して図示しないＰＣ（Personal Computer）等から印刷データ（画像データ）を受け取る。そして詳しくは後述するが、色変換テーブル（変換関係）を用いた色調整など必要な画像処理を施した後、画像形成部１２に印刷データを送信する。
【００１２】
画像形成部１２は、本実施の形態では、被色調整装置の一例である。画像形成部１２は、例えばプリンタであり、感光体に付着させたトナーを用紙Ｐに転写して像を形成する電子写真方式や、インクを記録媒体上に吐出して像を形成するインクジェット方式のものが用いられる。そして用紙Ｐに印刷を行った後は、用紙Ｐを印刷物として画像形成装置１０外に出力する。
【００１３】
本実施の形態では、制御部１１は、画像形成部１２にて画像を出力するために作成された色信号を、後述する色変換テーブルを用いて色変換処理を行い画像形成部１２に出力する色変換手段として機能する。
【００１４】
次に制御部１１で用いられる色変換テーブルの作成において、画像形成装置１０に取り付けられる色設定システムについて説明を行う。
図２は、図１に示す画像形成装置１０に色設定システム２０を取り付けた状態を説明するための図である。
【００１５】
本実施の形態の色設定システム２０は、画像形成装置１０に接続される色変換テーブル生成装置２１と、色変換テーブル生成装置２１に接続されるととも画像形成装置１０により用紙Ｐに形成された画像の色を測定（測色）する画像読取装置２２とを備えている。
【００１６】
この色設定システム２０において、色変換テーブル生成装置２１および画像読取装置２２は、例えば、ＵＳＢ（Universal Serial Bus）を介して接続されている。また、色設定システム２０における色変換テーブル生成装置２１と画像形成装置１０とは、例えば、ＵＳＢを介して接続されている。
【００１７】
色変換テーブル生成装置２１は、色変換テーブルを作成し、画像形成装置１０の制御部１１に対し、色変換テーブルを書き込むことが可能となっている。本実施の形態において、この色変換テーブル生成装置２１は、画像形成装置１０で用いられる色変換テーブルを作成する色処理装置として捉えることができる。また制御部１１で用いられる色変換テーブルを、画像形成部１２にて出力される画像の色調整を行うために作成する変換関係作成手段として捉えることができる。
色変換テーブル生成装置２１は、詳しくは後述するが所謂汎用のパーソナルコンピュータ（ＰＣ）を使用することが可能であり、ＯＳによる管理下において、画像読取装置２２との通信や色変換テーブルの生成、制御部１１との通信などの処理を実行させるように構成することができる。
【００１８】
また、画像読取装置２２は、画像形成装置１０により用紙Ｐに形成された画像に接触あるいは非接触に配置されることで、画像の色を測定するセンサを備えている。
【００１９】
本実施の形態の画像形成装置１０は、通常は、色設定システム２０が取り付けられていない状態で、外部のＰＣ等が作成した印刷データを、制御部１１にて色変換等の画像処理をした後、画像形成部１２で印刷を行うようになっている。
【００２０】
一方、この画像形成装置１０は、色変換テーブルの作成あるいは変更等を実行する際に、色設定システム２０が取り付けられた状態で、色変換テーブル生成装置２１が選択した測色用画像（色パッチ）を画像形成部１２で印刷するようになっている。
本実施の形態では、画像読取装置２２は、画像形成装置１０から出力され用紙Ｐに印刷された測色用画像を測色し、色変換テーブル生成装置２１に対し色データを出力する。さらに色変換テーブル生成装置２１が、この色データを基にして色変換テーブルを作成する。詳しくは後述するが、この色変換テーブルは、制御部１１に格納され、制御部１１は、この色変換テーブルを用いて色変換処理を行う。色変換テーブルとしては、例えば変換用の行列（マトリックス）、１次元ＬＵＴ（Look Up Table）あるいは多次元ＬＵＴ等が挙げられる。
【００２１】
図３（ａ）〜（ｂ）は、測色用画像について説明した図である。
このうち図３（ａ）は、測色用画像を形成するための入力値を示した表である。本実施の形態では、画像形成装置１０で画像を形成するために使用するトナー等の色材の色が、Ｃ（シアン）、Ｍ（マゼンタ）、Ｙ（イエロー）、Ｋ（ブラック）であり、図３（ａ）では、各測色用画像が、このＣＭＹＫをどの程度使用して形成されるかを示している。ここで記載されている数値は、ＣＭＹＫ各色の網点面積率（カバレッジ、Ｃｉｎ）であり、０％〜１００％の範囲を取り得る。例えば、Ｎｏ．１の測色用画像は、Ｃを０％、Ｍを８０％、Ｙを５０％、Ｋを２０％の網点面積率になるものであることを意味する。なおこの場合、測色用画像を形成するための入力値は、この数値をそのまま使用し、ＣＭＹＫ色空間中において（０、８０、５０、２０）であると言うことができる。またここでは、測色用画像としてＮｏ．１〜Ｎｏ．ＭのＭ個の測色用画像が用意されることを意味する。なお入力値は、網点面積率に限られるものではなく、例えば、階調値で記載される場合もある。この場合、入力値は、階調値が８ｂｉｔで表現されるときには、０〜２５５の整数値となる。
【００２２】
また図３（ｂ）は、実際に用紙Ｐに印刷される測色用画像の概念図である。ここでは、図３（ａ）に示した入力値に従い、用紙Ｐ上に様々な色を有する測色用画像ＳがＭ個印刷されることを示している。そしてこのように用紙Ｐに測色用画像Ｓからなるカラーチャートを画像読取装置２２が読み取ることで、各測色用画像Ｓの色が測定される。本実施の形態では、このときの測色値としてデバイス非依存のＬ＊ａ＊ｂ＊色空間におけるＬ＊ａ＊ｂ＊の各値が色データとして得られる。
【００２３】
本実施の形態で、上記色調整を行うのは、いわゆるキャリブレーションを行なうためである。つまり画像形成装置１０の色再現可能な範囲（色再現範囲）は、部材や消耗品の経時劣化、温度差などの環境変化等の要因により狭くなっていくのが一般的である。これは画像形成装置１０の色再現できる色域が縮小していくと言い換えることもできる。そのため、キャリブレーションを行い、経時劣化や環境変換により色再現範囲が縮小しても、入力値に対応して出力される色について、許容色差以内の誤差で再現するように補正する必要がある。そのためには、色変換テーブルもこの色域の変化に合わせて作成する必要がある。
しかしながら従来は、経時劣化等が生じたときのキャリブレーションについて、どのような方法で行うかについて、十分な考慮がされているとは言えなかった。
【００２４】
そこで本実施の形態では、色変換テーブル生成装置２１を以下のような構成とし、色変換テーブルの作成を行う。この方法によれば、画像形成装置１０に経時劣化等が生じたときに、これにより適合した方法で補正を行うことができることができるとともに、画像形成装置１０の個体差についても考慮してキャリブレーションを行うものとなる。
以下、この色変換テーブル生成装置２１の構成について説明を行なう。
【００２５】
＜色変換テーブル生成装置の機能構成例＞
図４は、本実施の形態の色変換テーブル生成装置２１についての機能構成例を説明した図である。
図示した色変換テーブル生成装置２１は、画像選択部２１１と、画像データ記憶部２１２と、画像データ送信部２１３と、色データ取得部２１４と、要求情報取得部２１５と、色再現目標生成部２１６と、標準色再現特性記憶部２１７と、色変換テーブル作成部２１８とを備える。
【００２６】
画像選択部２１１は、画像形成装置１０で形成する測色用画像を選択する。この測色用画像の画像データは、画像データ記憶部２１２に記憶されている。画像選択部２１１は、選択した測色用画像の画像データを画像データ記憶部２１２から取得し、画像データ送信部２１３に送出する。
【００２７】
画像データ送信部２１３は、測色用画像の情報（画像データ）を画像形成装置１０に送信する。
【００２８】
画像形成装置１０では、画像データ送信部２１３により送信された測色用画像の画像データを基に測色用画像が順に印刷される。画像形成装置１０で印刷されたこれらの測色用画像は、画像読取装置２２によりその色が読み取られる。そして画像読取装置２２は、これらの測色用画像を読み取ることで取得した色情報（色データ）を色変換テーブル生成装置２１に対し、送信する。このとき画像読取装置２２が出力する色データは、例えば、Ｌ＊ａ＊ｂ＊色空間におけるＬ＊値、ａ＊値、ｂ＊値となる。
【００２９】
色データ取得部２１４は、画像読取装置２２により送信された測色用画像の色データを取得する。色データは、色変換テーブル作成部２１８に送られる。
【００３０】
要求情報取得部２１５は、画像形成装置１０の画像形成部１２に要求される色再現精度および耐用期間に関する情報を含む要求情報を取得する。
上述のように画像形成装置１０で形成される画像の色再現範囲は、経時劣化等により縮小していく。このとき要求情報取得部２１５は、画像形成装置１０で形成される画像の色調整を行うのに、色再現精度と耐用期間との兼ね合いを取得する。ここで耐用期間とは、部材や消耗品を交換せずに画像形成装置１０にて画像を形成する期間のことである。実際には、この耐用期間は、画像形成装置１０からの出力ページ数で決めることができる。つまり色再現精度を重視するときは、耐用期間は、短くならざるを得ない。対して耐用期間を長くすると、色再現精度が低下することになる。即ち、色再現精度と耐用期間とは、トレードオフの関係にある。
【００３１】
本実施の形態では、要求情報取得部２１５は、ユーザからこれらをどの程度重視するかの要求の程度の情報である要求情報を取得する。実際には、色再現精度と耐用期間との間で、例えば、５段階のレベルを設け、ユーザが、このレベルを選択することで、要求情報取得部２１５は、要求情報を取得する。さらに具体的には、例えば、色再現精度を最大限重視する場合は、このレベルとして「１」が設定され、耐用期間を最大限重視する場合は、このレベルとして「５」が設定される。そしてユーザは、レベルとして１〜５の間で数値を選択することで、色再現精度と耐用期間とをどの程度重視するかを入力する。
【００３２】
また色再現精度と耐用期間とは、トレードオフの関係にあるため、一方を定めれば他方も定めることができる。よってユーザは、一方の情報の入力を行ってもよい。
この場合、色再現精度は、許容することができる色差の情報として入力することができる。例えば、許容することができる色差が、「２」であったときは、ユーザは、この数値を入力し、要求情報取得部２１５は、これを要求情報として取得する。
また耐用期間は、利用可能な出力ページ数の情報として入力することができる。例えば、利用可能な出力ページ数が、「１００００枚」であったときは、ユーザは、この数値を入力し、要求情報取得部２１５は、これを要求情報として取得する。
【００３３】
なお上述した例では、要求情報は、ユーザが入力する場合について説明したが、色変換テーブル生成装置２１に別途要求情報記憶部等を設け、予め決めておいた要求情報を記憶させておいてもよい。この場合、要求情報取得部２１５は、この要求情報記憶部から要求情報を取得する。
【００３４】
色再現目標生成部２１６は、要求情報取得部２１５により取得された要求情報を基に、画像形成装置１０の画像形成部１２の色再現目標を生成する。
この色再現目標は、要求情報に基づいて経時劣化などにより色域が縮小した後の色再現特性であり、例えば、複数の異なるＣＭＹＫで再現するべきＬ＊ａ＊ｂ＊のデータ群で表すことができる。そして本実施の形態では、色再現目標として設定される色域について、以下のようにする。
色再現目標を生成する際には、画像形成部１２で使用される有彩色の色材のみを２種類以下使用して再現される領域については縮小が行われない。即ち、上述したＣＭＹＫの各色材のうち、Ｋを使用する色かもしくはＫを使用せずにＣＭＹをすべて使用する３次色以上の領域は、色域の縮小が行われるが、Ｋを使用せずにＣＭＹの各色を２種類以下使用して再現される１次色または２次色の領域については縮小が行われない。
【００３５】
図５（ａ）〜（ｂ）、図６は、本実施の形態において色域の縮小を行う方法を説明した概念図である。
図５（ａ）は、横軸をＣＭＹをまとめて表すＣ＊軸とし、縦軸を明度を表すＬ＊としたときの色域の縮小を行う方法を説明した概念図である。このとき縮小前の色域は、実線で示したものとなり、ほぼ菱形状となる。そしてこのとき１次色または２次色の領域は、菱形の図中上部の２辺の箇所となる。一方、３次色以上の領域は、この２辺より下の斜線部で示した領域となる。また図５（ｂ）は、図５（ａ）をＶｂ方向から見たときにＣＭＹの各軸を別々にした図である。この図によれば、Ｃ軸、Ｍ軸、Ｙ軸上は、１次色の領域である。またＣ軸、Ｍ軸、Ｙ軸上以外の斜線部は、２次色の領域である。
【００３６】
そして縮小後の色域は、図５（ａ）の点線で示すようになる。つまり１次色または２次色の領域については縮小が行われないため、図中上部の２辺の箇所は、色域の縮小が行われない。一方、この２辺以外の３次色の領域は、菱形の図中下部の２辺を図中上方に持ち上げるようにし、色域の縮小が行われる。
【００３７】
そして色域の圧縮は、明度方向に紙白からの距離に応じた縮小率で縮小するようにする。なおこのときＣＭＹＫ値をＬ＊ａ＊ｂ＊値に変換し、Ｌ＊ａ＊ｂ＊値を使用して色域の圧縮を行う。
【００３８】
また起点となる縮小前の色域としては、例えば、画像形成装置１０の製造者等が作成した画像形成装置１０の標準的な色再現特性である標準色再現特性を用いることができる。これは、経時劣化等がない画像形成装置１０の平均的な色域であると言うこともできる。この標準色再現特性は、標準色再現特性記憶部２１７に記憶されており、色再現目標生成部２１６は、標準色再現特性記憶部２１７から標準色再現特性を取得する。
【００３９】
図６は、本実施の形態において色域の縮小を行う方法を説明した概念図である。
図６では、色域の縮小を行なう際に、Ｐ１、Ｐ２、Ｐ３で例示される３つの点がどのように移動するかを示している。
また図６では、点線で示した菱形が標準色再現特性を表し、実線で示した菱形が縮小後の色域を表す。なおこの２つの菱形の図中上側二辺は一致している。
【００４０】
まずＰ１（Ｃ１、Ｍ１、Ｙ１、Ｋ１）、Ｐ２（Ｃ２、Ｍ２、Ｙ２、Ｋ２）、Ｐ３（Ｃ３、Ｍ３、Ｙ３、Ｋ３）を、Ｐ１（Ｌ１＊、ａ１＊、ｂ１＊）、Ｐ２（Ｌ２＊、ａ２＊、ｂ２＊）、Ｐ３（Ｌ３＊、ａ３＊、ｂ３＊）に変換する。そしてこれらのＰ１、Ｐ２、Ｐ３を、紙白の色値であるＷ（ＬＷ＊、ａＷ＊、ｂＷ＊）に向け、それぞれＰ１’（Ｌ１’＊、ａ１’＊、ｂ１’＊）、Ｐ２’（Ｌ２’＊、ａ２’＊、ｂ２’＊）、Ｐ３’（Ｌ３’＊、ａ３’＊、ｂ３’＊）に移動する。これにより色域が縮小される。そしてこのＰ１’、Ｐ２’、Ｐ３’等が色再現目標となる。
【００４１】
このときＷの位置はそのままであり、例えば、ＷとＰ１の間の点は、Ｗとの距離に応じて縮小率が大きくなる。そのため移動する距離も大きくなる。
さらに具体的には、縮小率は、標準色再現特性の最暗部では、最大の縮小率Ｒとなり、１次色または２次色での縮小率は０となる。そしてその他の色の縮小率については、Ｗとの距離に応じて［０、Ｒ］の範囲で単調に変化させる。
【００４２】
なお標準色再現特性を用いずに、同一エリア内に存在する複数の画像形成装置１０の色域の平均を使用し、これを起点として使用してもよい。この場合、同一エリア内に存在する複数の画像形成装置１０で統一した色調整を行うことができ、キャリブレーションの精度を向上させることができる。
なお色再現目標生成部２１６のさらに詳しい形態については、後述する。
【００４３】
色変換テーブル作成部２１８は、変換関係作成部の一例である。色変換テーブル作成部２１８は、色データ取得部２１４により取得された色データおよび後述する目標色再現特性データに基づき、色再現目標に対応した色調整を行うために、画像形成装置１０で使用される色変換テーブル（変換関係）を作成する。
【００４４】
＜色再現目標生成部の説明＞
次に色再現目標生成部２１６についてさらに詳しく説明を行う。
図７は、色再現目標生成部２１６についての機能構成例を説明した図である。
図示するように色再現目標生成部２１６は、縮小率算出部２１６ａと、レベル換算表記憶部２１６ｂと、目標色再現特性生成部２１６ｃとを備える。
【００４５】
縮小率算出部２１６ａは、色域の縮小を行うために要求情報から色域を縮小する割合である縮小率を算出する。
この縮小率算出部２１６ａは、要求情報取得部２１５が、要求情報として許容できる色差を取得したときは、標準色再現特性記憶部２１７から取得した標準色再現特性からサンプル点を抽出する。このサンプル点は、例えば、図６のＰ１、Ｐ２、Ｐ３等である。そしてこのサンプル点を許容できる色差に応じ、紙白方向に移動する。移動後のサンプル点は、例えば、図６のＰ１’、Ｐ２’、Ｐ３’となる。そしてこの移動前と移動後の色度の値から縮小率を算出する。実際には、レベル換算表記憶部２１６ｂに色差に応じＬ＊ａ＊ｂ＊値と縮小率とを対応づけたＬＵＴを用意し、このＬＵＴにより縮小率を算出する。
【００４６】
また要求情報取得部２１５が要求情報として、利用可能な出力ページ数を取得したときは、縮小率算出部２１６ａは、これに対応した縮小率を算出する。実際には、レベル換算表記憶部２１６ｂに利用可能な出力ページ数と縮小率とを対応づけたＬＵＴを用意し、このＬＵＴにより縮小率を算出する。
【００４７】
さらに要求情報取得部２１５が要求情報として、色再現精度と耐用期間とをどの程度重視するかを表すレベルで取得したときは、縮小率算出部２１６ａは、この両者を基に算出した縮小率を加重平均して使用する縮小率を算出する。
【００４８】
目標色再現特性生成部２１６ｃは、縮小率算出部２１６ａが算出した縮小率を、標準色再現特性に適用する。これにより色再現目標が算出される。そして目標色再現特性生成部２１６ｃからは、ＣＭＹＫ値と色域縮小後のＬ＊ａ＊ｂ＊値とを関連付けた目標色再現特性データが出力される。具体的に図６の例で説明すると、（Ｃ１、Ｍ１、Ｙ１、Ｋ１）→（Ｌ１’＊、ａ１’＊、ｂ１’＊）、（Ｃ２、Ｍ２、Ｙ２、Ｋ２）→（Ｌ２’＊、ａ２’＊、ｂ２’＊）、（Ｃ３、Ｍ３、Ｙ３、Ｋ３）→（Ｌ３’＊、ａ３’＊、ｂ３’＊）の関係で関連付けられる。
【００４９】
＜色変換テーブル生成装置の動作についての説明＞
図８は、色変換テーブル生成装置２１の動作について説明したフローチャートである。
以下、図４および図８を使用して色変換テーブル生成装置２１の動作について説明を行う。
まず画像選択部２１１が、測色用画像を選択する（ステップ１０１）。
次に画像選択部２１１は、画像データ記憶部２１２から該当する測色用画像の画像データを取得する（ステップ１０２）。
【００５０】
次に画像データ送信部２１３が、画像選択部２１１で選択された測色用画像の画像データを画像形成装置１０に送信する（ステップ１０３）。
この画像形成装置１０は、測色用画像の画像データを基に用紙Ｐに画像を形成し、出力する。この用紙Ｐに形成された画像は、画像読取装置２２により色データが取得される。さらに取得された色データは、色変換テーブル生成装置２１に送信される。
【００５１】
色変換テーブル生成装置２１では、色データ取得部２１４が、送信された色データを取得する（ステップ１０４）。
【００５２】
一方、要求情報取得部２１５は、画像形成装置１０の画像形成部１２に要求される色再現精度および耐用期間に関する情報を含む要求情報を取得する（ステップ１０５）。
【００５３】
そして色再現目標生成部２１６の縮小率算出部２１６ａが、レベル換算表記憶部２１６ｂを参照し、要求情報から縮小率を算出する（ステップ１０６）。
【００５４】
次に色再現目標生成部２１６の目標色再現特性生成部２１６ｃが、標準色再現特性記憶部２１７から標準色再現特性を取得する（ステップ１０７）。
【００５５】
さらに目標色再現特性生成部２１６ｃは、縮小率を、この標準色再現特性に適用し、色再現目標を算出する（ステップ１０８）。これにより図５、図６で説明したような色域の縮小が行われ、ＣＭＹＫ値に対する色域縮小後のＬ＊ａ＊ｂ＊値を算出することができる。
【００５６】
またさらに目標色再現特性生成部２１６ｃは、ＣＭＹＫ値と色域縮小後のＬ＊ａ＊ｂ＊値とを関連付けた目標色再現特性データを出力する（ステップ１０９）。
【００５７】
そして色変換テーブル作成部２１８は、色データ取得部２１４により取得された色データおよびこの目標色再現特性データに基づき、色変換テーブルを作成する（ステップ１１０）。
【００５８】
以上詳述した色変換テーブル生成装置２１によれば、要求情報として色再現精度および耐用期間に関する情報を取得する構成を採ることで、ユーザの要求に合わせた色変換テーブルを作成することができ、画像形成装置１０では、ユーザの要求に合わせた色変換を行うことができる。また要求情報を色再現精度および耐用期間に関する情報とすることで、ユーザの指定がより容易となる。
さらに上述した形態によれば、Ｋを使用する色もしくはＫを含まずにＣＭＹのすべての色を使用する３次色以上の領域は、色域の縮小が行われるが、ＣＭＹの各色を２種類以下使用して再現される１次色または２次色の領域については縮小が行われない。これにより経時劣化等に応じて生じる色域の縮小に合わせて色目標を生成することができ、またより高速に処理を行うことができる。
そして上述した形態によれば、色域の縮小に色再現精度や耐用期間に対応する縮小率を求め、これにより色目標を生成する。これにより色再現精度と耐用期間のどちらで要求情報が設定されても、統一的な処理が可能となる。
【００５９】
＜画像形成装置の制御部の機能構成例＞
図９は、画像形成装置１０の制御部１１における信号処理系を示すブロック図である。
制御部１１は、画像形成部１２にて画像を出力するために作成された画像データ（印刷データ）を取得する画像データ取得部１１１と、印刷データを受け取りページ記述言語(ＰＤＬ：Page Description Language)に変換するＰＤＬ生成部１１２と、ＰＤＬ生成部１１２により生成されたＰＤＬからラスタイメージを作成するラスタライズ（rasterize）部１１３と、経時劣化などによる色変動を補正するためにＣＭＹＫデータをＣ’Ｍ’Ｙ’Ｋ’データに変換する色変換処理部１１４と、色変換テーブルを記憶する色変換テーブル記憶部１１５と、色変換処理部１１４により変換されたラスタイメージの調整を行なうラスタイメージ調整部１１６と、ハーフトーン処理を行なうハーフトーン処理部１１７と、色変換処理された印刷データを画像形成部１２に出力する画像データ出力部１１８とを備える。
【００６０】
本実施の形態では、まず画像データ取得部１１１が外部のＰＣ等から印刷データを受け取る。この印刷データは、ＰＣを使用するユーザが、画像形成装置１０により印刷したい画像データである。
そして印刷データは、ＰＤＬ生成部１１２に送られ、ＰＤＬ生成部１１２は、これをＰＤＬで記述されたコードデータに変換して出力する。
【００６１】
ラスタライズ部１１３は、ＰＤＬ生成部１１２から出力されてくるＰＤＬで記述されたコードデータを画素毎のラスタデータに変換し、ラスタイメージとする。そして、ラスタライズ部１１３は、変換後のラスタデータをＣＭＹＫ(シアン、マゼンタ、イエロー、黒)のビデオデータ(ＣＭＹＫビデオデータ)として出力する。このとき、ラスタライズ部１１３は、１ページ毎にＣＭＹＫデータを出力することになる。
【００６２】
色変換処理部１１４は、ラスタライズ部１１３から入力されるＣＭＹＫデータを色再現目標として規定された色で出力するためのＣ’Ｍ’Ｙ’Ｋ’に変換して出力する。また色変換処理部１１４は、このとき色変換テーブル生成装置２１から送られた色変換テーブルを記憶する色変換テーブル記憶部１１５から読み出した色変換テーブルを用いて色変換処理を行う。
【００６３】
ラスタイメージ調整部１１６は、色変換処理部１１４から入力されるＣＭＹＫデータに対し、γ変換、精細度処理、中間調処理等を施すことで、より良好な画質を画像形成部３２で得られるように各種の調整を行なう。
【００６４】
ハーフトーン処理部１１７は、主走査方向および副走査方向に予め定められた閾値配列を有するディザマスクを使用したディザマスク処理により、印刷データにハーフトーン処理を行なう。これにより印刷データは、例えば、多値で表されるものから二値で表されるものとなる。
【００６５】
画像データ出力部１１８は、色変換処理等の画像処理をされた画像データを画像形成部１２に出力する。
【００６６】
なお以上詳述した例では、画像形成装置１０の色調整を行う場合について説明を行ったが、これに限られるものではなく、他のカラーデバイスの色調整を行う場合でも使用可能である。例えば、モニタ等の画像表示装置の色調整を行うための色変換テーブルを作成する場合にも使用することができる。この場合、画像表示装置等のカラーデバイスが被色調整装置となる。
【００６７】
また以上詳述した例では、画像形成装置１０と色変換テーブル生成装置２１とを別個の装置として説明したが、色変換テーブル生成装置２１の機能を画像形成装置１０の例えば、制御部１１に組み込み同一の装置としてまとめてもよい。よって制御部１１と色変換テーブル生成装置２１とは、色調整システムとして捉えることもできる。
【００６８】
＜色変換テーブル生成装置のハードウェア構成例＞
次に色変換テーブル生成装置２１のハードウェア構成について説明する。
図１０は、色変換テーブル生成装置２１のハードウェア構成を示した図である。
色変換テーブル生成装置２１は、上述したようにパーソナルコンピュータ等により実現することができる。そして図示するように、色変換テーブル生成装置２１は、演算手段であるＣＰＵ（Central Processing Unit）４１と、記憶手段であるメインメモリ４２、およびＨＤＤ（Hard Disk Drive）４３とを備える。ここで、ＣＰＵ４１は、ＯＳ（Operating System）やアプリケーションソフトウェア等の各種プログラムを実行する。また、メインメモリ４２は、各種プログラムやその実行に用いるデータ等を記憶する記憶領域であり、ＨＤＤ４３は、各種プログラムに対する入力データや各種プログラムからの出力データ等を記憶する記憶領域である。
【００６９】
さらに、色変換テーブル生成装置２１は、外部との通信を行うための通信インターフェース（以下、「通信Ｉ／Ｆ」と表記する）４４と、ビデオメモリやディスプレイ等からなり、画像を表示するモニタ４５と、キーボードやマウス等の入力デバイス４６とを備える。
【００７０】
＜プログラムの説明＞
ここで以上説明を行った本実施の形態における色変換テーブル生成装置２１が行なう処理は、例えば色変換テーブル生成装置２１の各機能を実現するプログラムにより行われる。即ち、図１０で示した色変換テーブル生成装置２１のＣＰＵ４１が、ＨＤＤ４３に記憶されたアプリケーションソフトウェアをメインメモリ４２にロードして実行し、このアプリケーションソフトウェアが動作することで、画像選択部２１１、要求情報取得部２１５、色再現目標生成部２１６、色変換テーブル作成部２１８の各機能を実現する。なお付言すれば、画像データ記憶部２１２、標準色再現特性記憶部２１７の機能は、ＨＤＤ４３により、また画像データ送信部２１３、色データ取得部２１４の機能は、通信Ｉ／Ｆ４４により実現することができる。
【００７１】
よって色変換テーブル生成装置２１が行なう処理は、コンピュータに、被色調整装置に要求される色再現精度および耐用期間に関する情報を含む要求情報を取得する機能と、取得された要求情報を基に、被色調整装置の色再現目標を生成する機能と、生成された色再現目標に対応した色調整を行うために被色調整装置で使用される変換関係を作成する機能と、を実現させるプログラムとして捉えることもできる。
【００７２】
なお、本実施の形態を実現するプログラムは、通信手段により提供することはもちろん、ＣＤ−ＲＯＭ等の記録媒体に格納して提供することも可能である。
【００７３】
以上、本実施の形態について説明したが、本発明の技術的範囲は上記実施の形態に記載の範囲には限定されない。上記実施の形態に、種々の変更または改良を加えたものも、本発明の技術的範囲に含まれることは、特許請求の範囲の記載から明らかである。
【符号の説明】
【００７４】
１０…画像形成装置、１１…制御部、１２…画像形成部、２０…色設定システム、２１…色変換テーブル生成装置、２２…画像読取装置、２１１…画像選択部、２１２…画像データ記憶部、２１３…画像データ送信部、２１４…色データ取得部、２１５…要求情報取得部、２１６…色再現目標生成部、２１６ａ…縮小率算出部、２１６ｂ…レベル換算表記憶部、２１６ｃ…目標色再現特性生成部、２１７…標準色再現特性記憶部、２１８…色変換テーブル作成部
【図１】
2015076692.tif 000003
【図２】
2015076692.tif 000004
【図３】
2015076692.tif 000005
【図４】
2015076692.tif 000006
【図５】
2015076692.tif 000007
【図６】
2015076692.tif 000008
【図７】
2015076692.tif 000009
【図８】
2015076692.tif 000010
【図９】
2015076692.tif 000011
【図１０】
2015076692.tif 000012